【手続補正書】
【提出日】平成12年6月6日(2000.6.6)
【手続補正１】
【補正対象書類名】明細書
【補正対象項目名】特許請求の範囲
【補正方法】変更
【補正の内容】
【特許請求の範囲】
【請求項１】
物質が流れる少なくとも１本の管路（１０３Ａ−１０３Ｂ）と、該少なくとも１本の管路（１０３Ａ−１０３Ｂ）を通って上記物質が流れる際にこれを振動させるための上記少なくとも１本の管路に取付けられた駆動手段（１０４）と、上記少なくとも１本の管路（１０３Ａ−１０３Ｂ）及び上記物質が上記駆動手段（１０４）によって振動せしめられる際にコリオリ力により生ずる上記少なくとも１本の管路（１０３Ａ−１０３Ｂ）の振動を表す出力信号を生ぜしめ該出力信号を信号処理装置（２０）に伝えるための上記少なくとも１本の管路（１０３Ａ−１０３Ｂ）に取付けられたセンサー（１０５−１０５′）とを有し、上記物質の特性の測定値を生ぜしめるための信号処理装置が上記センサー（１０５−１０５′）からの出力信号を受取るように応ずるようにした流れて通る物質の特性を測定するための装置（５）であって、
上記駆動手段（１０４）は上記駆動手段（１０４）が少なくとも１つの望ましいモードにおける振幅を実質的に最大にさせる選択された位置（Ｎ１０９）において上記少なくとも１本の管路（１０３Ａ−１０３Ｂ）に取付けられている
ことを特徴とする流れて通る物質の特性を測定するための装置。
【請求項２】
上記選択された位置（Ｎ１０９）はまた上記駆動手段（１０４）が上記少なくとも１つの望ましいモードにおける振幅を実質的に最小にさせるようにしたことを特徴とする請求項１に記載の装置。
【請求項３】
上記駆動手段に電流を供給するための駆動制御回路（１１００）と、
上記少なくとも１本の管路（１０３Ａ−１０３Ｂ）を第１の望ましいモードの振動数で振動させる第１の電流を生ぜしめるための上記駆動制御回路（１１００）における第１のモード回路（１１０２）と、
上記少なくとも１本の管路（１０３Ａ−１０３Ｂ）を第２の望ましいモードの振動数で振動させる第２の電流を生ぜしめるための上記駆動制御回路における第２のモード回路（１１０４）と、
をさらに有することを特徴とする請求項１に記載の装置。
【請求項４】
上記第１のモード回路（１１０２）からの第１の電流と上記第２のモード回路（１１０４）からの第２の電流とを合算して上記駆動手段に供給される駆動電流とするための上記駆動制御回路（１１００）における合算回路（１１０６）をさらに有することを特徴とする請求項３に記載の装置。
【請求項５】
上記少なくとも１本の管路（１０３Ａ−１０３Ｂ）に取付けられた第１のピックオフセンサー（１０５）からのフィードバック信号をを受取るための上記第１のモード回路（１１０２）におけるフィードバック回路と、
上記第１の電流を生ぜしめるように上記フィードバック信号を調整するための上記第１のモード回路（１１０２）における発生回路と、
をさらに有することを特徴とする請求項４に記載の装置。
【請求項６】
上記フィードバック信号にフィルターをかけてロールオフ振動数を超える振幅が減小した振動数フィルターをかけられたフィードバック信号を生ぜしめるための上記第１のモード回路（１１０２）における振動数フィルターと、
上記第１の電流を生ぜしめるように上記振動数フィルターをかけられたフィードバック信号を増幅するための上記第１のモード回路（１１０２）における増幅回路と、
をさらに有することを特徴とする請求項５に記載の装置。
【請求項７】
上記少なくとも１本の管路（１０３Ａ−１０３Ｂ）に取付けられた第１のピックオフセンサーからのフィードバック信号を受取るための上記第２のモード回路（１１０４）におけるフィードバック回路と、
上記第２の電流を生ぜしめるように上記フィードバック信号を調整するための上記第２のモード回路における発生回路と、
をさらに有することを特徴とする請求項４に記載の装置。
【請求項８】
上記フィードバック信号にフィルターをかけてロールオフ振動数を超える振幅の減小した振動数フィルターのかけられたフィードバック信号を生ぜしめるための上記第２のモード回路（１１０４）における振動数フィルターと、
上記第２の電流を生ぜしめるように上記振動数フィルターをかけられたフィードバック信号を増幅するための上記第２のモード回路（１１０４）における増幅回路と、
をさらに有することを特徴とする請求項７に記載の装置。
【請求項９】
上記駆動手段（１０４）が上記少なくとも１つの望ましいモードにおける上記物質及び少なくとも１本の管路（１０３Ａ−１０３Ｂ）の振動の振幅を最大にする所定の位置（Ｎ１０７，Ｎ１１１）に各々取付けられた複数の駆動源（５０１，５０２）をさらに有することを特徴とする請求項１に記載の装置。
【請求項１０】
上記少なくとも１つの望ましいモードが第１の位相の外れた曲げモードを含むことを特徴とする請求項９に記載の装置。
【請求項１１】
上記所定の位置が少なくとも１つの望ましくないモードの振幅を最小にするように選択されることを特徴とする請求項１０に記載の装置。
【請求項１２】
上記少なくとも１つの望ましくないモードが第２の位相の外れた曲げモードを含むことを特徴とする請求項１０に記載の装置。
【請求項１３】
各々上記複数の駆動源（５０１，５０２）の１つに駆動電流を供給する複数の駆動回路（８０２，８０４）をさらに有することを特徴とする請求項１０に記載の装置。
【請求項１４】
上記少なくとも１つの望ましいモードが第１の位相の外れた捩れモードを含むことを特注とする請求項１３に記載の装置。
【請求項１５】
上記少なくとも１つの望ましくないモードが第１の位相の外れた曲げモードを含むことを特徴とする請求項１４に記載の装置。
【請求項１６】
上記複数の駆動回路（８０２，８０４）の各々が相互に電気的に分離されていることを特徴とする請求項１３に記載の装置。
【請求項１７】
上記複数の駆動回路（８０２，８０４）が上記複数の駆動源（５０１，５０２）に実質的に異なる振幅及び位相を有する駆動電流を供給することを特徴とする請求項１３に記載の装置。
【請求項１８】
上記複数の駆動回路（８０２，８０４）の少なくとも一部が上記複数の駆動源（５０１，５０２）に実質的に異なる振幅及び位相を有する駆動電流を供給することを特徴とする請求項１３に記載の装置。
【請求項１９】
少なくとも１本の管路（１０３Ａ−１０３Ｂ）を通って流れる物質の特性を測定するための装置（５）の上記管路（１０３Ａ−１０３Ｂ）に駆動装置（５）を取付けるための方法であって、
少なくとも１つの望ましいモードに関して上記少なくとも１本の管路（１０３Ａ−１０３Ｂ）に沿った位置の固有ベクトル係数を生ぜしめることと、
該固有ベクトル係数から上記少なくとも１つの望ましいモードにおける上記少なくとも１本の管路の振動の振幅を最大にする上記位置の１つ（Ｎ１０９）を選択することと、
該１つの位置（Ｎ１０９）に上記駆動装置（１０４）を配置することと、
の各ステップを有することを特徴とする管路に駆動装置を取付けるための方法。
【請求項２０】
少なくとも１つの望ましくないモードに関して上記少なくとも１本の管路（１０３Ａ−１０３Ｂ）に沿った位置の固有ベクトル係数を生ぜしめることと、
少なくとも１つの望ましいモードの振動の振幅を最大にし、少なくとも１つの望ましくないモードの振動の振幅を最小にする上記位置の１つを選択的に決定することと、
の各ステップをさらに有することを特徴とする請求項１９に記載の方法。
【請求項２１】
上記少なくとも１つの望ましいモードの振幅を最大にし上記少なくとも１つの望ましくないモードの振幅を最小にする複数の位置を選択する
ステップをさらに有することを特徴とする請求項１９に記載の方法。
【請求項２２】
上記選択するステップが
上記固有ベクトル係数を１つのグラフに適用することと、
上記少なくとも１つの望ましいモードに関する上記グラフでの最大値を決定することと、
の各ステップを有することを特徴とする請求項１９に記載の方法。
【請求項２３】
上記選択するステップが
ＦＲＦを生ぜしめることと、
該ＦＲＦに基づいて上記位置を決定することと、
の各ステップを有することを特徴とする請求項１９に記載の方法。
【手続補正２】
【補正対象書類名】明細書
【補正対象項目名】０００５
【補正方法】変更
【補正の内容】
【０００５】
２本管型コリオリ流量計が駆動される典型的なモードは、ただ１つのモードではないが、第１の位相の外れた曲げモードである。駆動源を注意して配置することにより第１の移送のはずれた曲げモードを最大にすることが知られている。これについてはダーリンの米国特許第４８２３６１４号を参照するとよい。しかしながら第１の位相の外れた曲げモードはこのモードで駆動されるコリオリ流量計の振動する構造に現れる唯一の振動モードではない。もちろんより高いモードも励振されよう。また振動する管路を通って流れる流体及びそれにより生ずるコリオリ力の結果として第１の位相の外れたモードのようなコリオリ応答モードもある。さらに位相の合った横方向の振動モードもある。コリオリ流量計に付加的な望ましくないモードが時々励振される他の理由は、駆動源要素が管路に対称的に配置されていず、あるいは駆動源が管の平面に垂直な考えられている方向の純粋に１つの軸方向の力を生ぜしめないようような製造の公差になっている時である。これは駆動源が管路に偏心した力を加え、そのために複数振動モードを励振させることになる。管路の励振駆動によって複数のモードが励振されるのに加えて、流量計外の振動によるモードが励振され得る。例えば処理ラインのどこかに配置されているポンプがコリオリ流量計に振動モードを励振するような振動を配管系に生ぜしめることがあろう。最後にコリオリ流量計には第１の位相の外れた曲げモードのような１つのモードだけで振動するものと考えられる数百の振動モードがある。駆動されるモードの近くの比較的狭い振動数の範囲内でも典型的にはさらに少なくとも数個のモードがある。かくして１つのモードで振動ないし共振するように駆動されるコリオリ流量計は実際には考えられているモードのほかに他の多くのモードで振動する１本または複数本の管路を有する。